(57)【要約】【課題】着信時に親機と子機が直ぐ近くにあっても同時に大きな鳴動とならず、子機が親機から離れても子機への音量の設定が小さくならないようにする。【解決手段】外線に接続される親機を介して子機の通話を可能にするコードレス電話機１００に、外線から着信信号を受信し着信音を鳴動する親機１１０から着信音信号を受信した時に子機１２０の着信音を鳴動する子機着信音鳴動部１２２、１２３、１２５と、子機着信音鳴動部で鳴動した着信音を減衰させる子機減衰部１２４と、親機から送信された着信音信号を子機で受信し受信感度レベルを検出する子機受信感度検出部１２８と、受信感度検出回路で検出された受信感度レベルが所定値以上である場合には子機減衰部に着信音の鳴動を減衰させ、受信感度レベルが所定値未満である場合には一旦減衰させた着信音の鳴動を解除する子機着信音鳴動制御部１２９Ａとを備える。【選択図】  図１
2004254144.tif 000002
【特許請求の範囲】
【請求項１】
外線に接続される親機を介して子機の通話を可能にするコードレス電話機において、
外線から着信信号を受信し着信音を鳴動する前記親機から着信音信号を受信した時に前記子機の着信音を鳴動する子機着信音鳴動部と、
前記子機着信音鳴動部で鳴動した着信音を減衰させる子機減衰部と、
前記親機から送信された着信音信号を前記子機で受信し受信感度レベルを検出する子機受信感度検出部と、
前記受信感度検出回路で検出された受信感度レベルが所定値以上である場合には前記子機減衰部に着信音の鳴動を減衰させ、前記受信感度レベルが所定値未満である場合には一旦減衰させた着信音の鳴動を解除する子機着信音鳴動制御部とを備えることを特徴とするコードレス電話機。
【請求項２】
前記子機にＬＥＤを備え、前記子機着信音鳴動制御部は、前記減衰部に着信音が鳴動しないように着信音を減衰させた場合には、前記ＬＥＤを点滅表示させることを特徴とする、請求項１に記載のコードレス電話機。
【請求項３】
外線に接続される親機を介して子機の通話を可能にするコードレス電話機において、
外線から着信信号を受信した時に前記子機へ着信音信号が送信されると同時に親機の着信音を鳴動する親機着信音鳴動部と、
前記親機着信音鳴動部で鳴動された着信音を減衰させる親機減衰部と、
前記子機から送信された信号を前記親機で受信し受信感度レベルを検出する親機受信感度検出部と、
前記親機受信感度検出部で検出された受信感度レベルを記憶する親機受信レベル記憶部と、
前記親機受信レベル記憶部に記憶されている最新の受信感度レベルが所定値以上である場合には前記親機減衰部に着信音の鳴動を減衰させ、前記受信感度レベルが所定値未満である場合には一旦減衰させた着信音の鳴動を解除する親機着信音鳴動制御部とを備えることを特徴とするコードレス電話機。
【請求項４】
前記親機にＬＥＤを備え、前記親機着信音鳴動制御部は、前記減衰部に着信音が鳴動しないように着信音を減衰させた場合には、前記ＬＥＤを点滅表示させることを特徴とする、請求項３に記載のコードレス電話機。
【請求項５】
外線に接続される親機を介して子機の通話を可能にするコードレス電話機において、
外線から着信信号を受信した時に前記子機へ着信音信号が送信されると同時に親機の着信音を鳴動する親機着信音鳴動部と、
前記親機着信音鳴動部で鳴動された着信音を減衰させる親機減衰部と、
前記子機から送信された信号を前記親機で受信し受信感度レベルを検出する親機受信感度検出部と、
前記親機受信感度検出部で検出された受信感度レベルを記憶する親機受信レベル記憶部と、
前記親機受信レベル記憶部に記憶されている最新の受信感度レベルが所定値以上である場合には前記親機減衰部に着信音の鳴動を減衰させ、前記受信感度レベルが所定値未満である場合には一旦減衰させた着信音の鳴動を解除する親機着信音鳴動制御部と、
前記親機から着信音信号を受信した時に前記子機の着信音を鳴動する子機着信音鳴動部と、
前記子機着信音鳴動部で鳴動した着信音を減衰させる子機減衰部と、
前記親機から送信された着信音信号を前記子機で受信し受信感度レベルを検出する子機受信感度検出部と、
前記受信感度検出回路で検出された受信感度レベルが所定値以上である場合には前記子機減衰部に着信音の鳴動を減衰させ、前記受信感度レベルが所定値未満である場合には一旦減衰させた着信音の鳴動を解除する子機着信音鳴動制御部とを備えることを特徴とするコードレス電話機。
【請求項６】
外線に接続される親機を介して子機の通話を可能にするコードレス電話機の着信音鳴動方法において、
外線から着信信号を受信し着信音を鳴動する前記親機から着信音信号を受信した時に前記子機の着信音を鳴動する工程と、
前記子機着信音鳴動部で鳴動した着信音を減衰させる工程と、
前記親機から送信された着信音信号を前記子機で受信し受信感度レベルを検出する工程と、
前記受信感度検出回路で検出された受信感度レベルが所定値以上である場合には前記子機減衰部に着信音の鳴動を減衰させ、前記受信感度レベルが所定値未満である場合には一旦減衰させた着信音の鳴動を解除する工程とを備えることを特徴とするコードレス電話機の着信音鳴動方法。
【請求項７】
外線に接続される親機を介して子機の通話を可能にするコードレス電話機の着信音鳴動方法において、
外線から着信信号を受信した時に前記子機へ着信音信号が送信されると同時に親機の着信音を鳴動する工程と、
前記親機着信音鳴動部で鳴動された着信音を減衰させる工程と、
前記子機から送信された信号を前記親機で受信し受信感度レベルを検出する工程と、
前記親機受信感度検出部で検出された受信感度レベルを記憶する工程と、
前記親機受信レベル記憶部に記憶されている最新の受信感度レベルが所定値以上である場合には前記親機減衰部に着信音の鳴動を減衰させ、前記受信感度レベルが所定値未満である場合には一旦減衰させた着信音の鳴動を解除する工程とを備えることを特徴とするコードレス電話機の着信音鳴動方法。
【発明の詳細な説明】
【０００１】
【発明が属する技術分野】
本発明はコードレス電話機及びその着信音鳴動方法に関する。特に、本発明は、親機と子機の着信音量の鳴動調整に関する。
【０００２】
【従来の技術】
従来の技術として、電話機の着信音の音量を変化させるもの、コードレス電話機の親機と子機の間で音量の調整を行うものに以下のようなものがある。
また、電話機の着信音量可変構造では電話機の周辺の騒音を測定し騒音レベルに応じて着信音の音量を変化させるようにしている（例えば、特許文献１参照。）。
従来のコードレス電話機では子機が上向き状態にあるとの判定で子機のリング音量を小に設定し子機が下向き状態にあるとの判定で子機のリング音量を大に設定している（例えば、特許文献２参照。）。
【０００３】
また、従来のコードレス電話機では親機側から遠隔操作によって子機のベル音量を設定し、子機側からの遠隔操作によって親機のベル音量を設定している（例えば、特許文献３参照。）。
【０００４】
【特許文献１】
特開平４−３６８０３８号公報（段落００１５、図３）
【特許文献２】
特開平０８−１３９７８８号公報（段落００１７、図３）
【特許文献３】
特開平１１−１５４９９９号公報（段落００２３、００２３、図３）
【０００５】
ところで、特許文献１の電話機の音量変化を特許文献２、３のコードレス電話機に適用すると、子機が親機の近くに置かれた場合、互いの着信音を騒音と認識してしまい、誤動作する。
さらに、特許文献２、３のコードレス電話機では、外線着信時に親機と子機がそれぞれ同時に着信音の鳴動を行うが子機が親機の直ぐ近くに置かれた場合、それぞれが大きな着信音量で鳴動し不愉快を与えるという問題がある。
【０００６】
【発明が解決しようとする課題】
しかしながら、子機を小さな着信音量に設定すると、同時に双方が大きな着信音を鳴動することがなくなるが、子機が移動し親機から離れた場所に置かれた場合、小さな着信音量で鳴動するため子機の着信音に気がつかなくなるという問題がある。
【０００７】
したがって、本発明は上記問題点に鑑みて、着信時に親機と子機が直ぐ近くにあっても同時に大きな鳴動とならず、子機が移動し親機から離れても子機への音量の設定が小さくならないようなコードレス電話機を提供することを目的とする。
【０００８】
【課題を解決するための手段】
本発明は前記問題点を解決するために、外線に接続される親機を介して子機の通話を可能にするコードレス電話機において、外線から着信信号を受信し着信音を鳴動する前記親機から着信音信号を受信した時に前記子機の着信音を鳴動する子機着信音鳴動部と、前記子機着信音鳴動部で鳴動した着信音を減衰させる子機減衰部と、前記親機から送信された着信音信号を前記子機で受信し受信感度レベルを検出する子機受信感度検出部と、前記受信感度検出回路で検出された受信感度レベルが所定値以上である場合には前記子機減衰部に着信音の鳴動を減衰させ、前記受信感度レベルが所定値未満である場合には一旦減衰させた着信音の鳴動を解除する子機着信音鳴動制御部とを備えることを特徴とするコードレス電話機を提供する。
【０００９】
この手段により、着信時に親機と子機が直ぐ近くにあっても同時に大きな鳴動とならず、子機が移動し親機から離れても子機への音量の設定が小さくならないようにすることが可能になる。
さらに、前記子機にＬＥＤを備え、前記子機着信音鳴動制御部は、前記減衰部に着信音が鳴動しないように着信音を減衰させた場合には、前記ＬＥＤを点滅表示させる。
【００１０】
この手段により、親機と子機が近くにある場合には親機の着信音の鳴動と、子機のＬＥＤの点滅で子機への着信を認識することを可能にすると同時に子機から着信音の鳴動がなくなる。
さらに、本発明は外線に接続される親機を介して子機の通話を可能にするコードレス電話機において、外線から着信信号を受信した時に前記子機へ着信音信号が送信されると同時に親機の着信音を鳴動する親機着信音鳴動部と、前記親機着信音鳴動部で鳴動された着信音を減衰させる親機減衰部と、前記子機から送信された信号を前記親機で受信し受信感度レベルを検出する親機受信感度検出部と、前記親機受信感度検出部で検出された受信感度レベルを記憶する親機受信レベル記憶部と、前記親機受信レベル記憶部に記憶されている最新の受信感度レベルが所定値以上である場合には前記親機減衰部に着信音の鳴動を減衰させ、前記受信感度レベルが所定値未満である場合には一旦減衰させた着信音の鳴動を解除する親機着信音鳴動制御部とを備えることを特徴とするコードレス電話機を提供する。
【００１１】
この手段により、着信時に親機と子機が直ぐ近くにあっても同時に大きな鳴動とならず、子機が移動し親機から離れても子機への音量の設定が小さくならないようにすることが可能になる。
さらに、前記親機にＬＥＤを備え、前記親機着信音鳴動制御部は、前記減衰部に着信音が鳴動しないように着信音を減衰させた場合には、前記ＬＥＤを点滅表示させる。
【００１２】
この手段により、親機と子機が近くにある場合には親機のＬＥＤの点滅と、子機の着信音の鳴動により親機への着信を認識することを可能にすると同時に親機から着信音の鳴動がなくなる。
さらに、本発明は、外線に接続される親機を介して子機の通話を可能にするコードレス電話機において、外線から着信信号を受信した時に前記子機へ着信音信号が送信されると同時に親機の着信音を鳴動する親機着信音鳴動部と、前記親機着信音鳴動部で鳴動された着信音を減衰させる親機減衰部と、前記子機から送信された信号を前記親機で受信し受信感度レベルを検出する親機受信感度検出部と、前記親機受信感度検出部で検出された受信感度レベルを記憶する親機受信レベル記憶部と、前記親機受信レベル記憶部に記憶されている最新の受信感度レベルが所定値以上である場合には前記親機減衰部に着信音の鳴動を減衰させ、前記受信感度レベルが所定値未満である場合には一旦減衰させた着信音の鳴動を解除する親機着信音鳴動制御部と、前記親機から着信音信号を受信した時に前記子機の着信音を鳴動する子機着信音鳴動部と、前記子機着信音鳴動部で鳴動した着信音を減衰させる子機減衰部と、前記親機から送信された着信音信号を前記子機で受信し受信感度レベルを検出する子機受信感度検出部と、前記受信感度検出回路で検出された受信感度レベルが所定値以上である場合には前記子機減衰部に着信音の鳴動を減衰させ、前記受信感度レベルが所定値未満である場合には一旦減衰させた着信音の鳴動を解除する子機着信音鳴動制御部とを備えることを特徴とするコードレス電話機を提供する。
【００１３】
この手段により、上記発明と同様に着信時に親機と子機が直ぐ近くにあっても同時に大きな鳴動とならず、子機が移動し親機から離れても子機への音量の設定が小さくならないようにすることが可能になる。
さらに、本発明は外線に接続される親機を介して子機の通話を可能にするコードレス電話機の着信音鳴動方法において、外線から着信信号を受信し着信音を鳴動する前記親機から着信音信号を受信した時に前記子機の着信音を鳴動する工程と、前記子機着信音鳴動部で鳴動した着信音を減衰させる工程と、前記親機から送信された着信音信号を前記子機で受信し受信感度レベルを検出する工程と、前記受信感度検出回路で検出された受信感度レベルが所定値以上である場合には前記子機減衰部に着信音の鳴動を減衰させ、前記受信感度レベルが所定値未満である場合には一旦減衰させた着信音の鳴動を解除する工程とを備えることを特徴とするコードレス電話機の着信音鳴動方法を提供する。
【００１４】
この手段により、上記発明と同様に着信時に親機と子機が直ぐ近くにあっても同時に大きな鳴動とならず、子機が移動し親機から離れても子機への音量の設定が小さくならないようにすることが可能になる。
さらに、本発明は外線に接続される親機を介して子機の通話を可能にするコードレス電話機の着信音鳴動方法において、外線から着信信号を受信した時に前記子機へ着信音信号が送信されると同時に親機の着信音を鳴動する工程と、前記親機着信音鳴動部で鳴動された着信音を減衰させる工程と、前記子機から送信された信号を前記親機で受信し受信感度レベルを検出する工程と、前記親機受信感度検出部で検出された受信感度レベルを記憶する工程と、前記親機受信レベル記憶部に記憶されている最新の受信感度レベルが所定値以上である場合には前記親機減衰部に着信音の鳴動を減衰させ、前記受信感度レベルが所定値未満である場合には一旦減衰させた着信音の鳴動を解除する工程とを備えることを特徴とするコードレス電話機の着信音鳴動方法を提供する。
【００１５】
この手段により、上記発明と同様に着信時に親機と子機が直ぐ近くにあっても同時に大きな鳴動とならず、子機が移動し親機から離れても子機への音量の設定が小さくならないようにすることが可能になる。
【００１６】
【発明の実施の形態】
以下、本発明の実施の形態について図面を参照して説明する。
図１は本発明に係るコードレス電話機であって子機側で着信音量の鳴動調整を行うものの概略構成を示すブロック図である。本図に示すように、コードレス電話機１００は親機１１０と子機１２０に大きく分けられ、外線に接続される親機１１０を介して子機１２０の通話を可能にする。
【００１７】
親機１１０には着信検出回路１１１が設けられ、着信検出回路１１１は外線からある電圧以上の交流信号が入った時に着信信号であると認識する。
親機１１０には音源１１２が設けられ、音源１１２は発振子などを用いて着信音信号を生成する。
音源１１２の出力側にはスイッチ１１３が接続され、スイッチ１１３は音源１１２から出力される着信音信号の出力を、後述する制御回路１１９の制御により、ＯＮ又はＯＦＦにする。
【００１８】
スイッチ１１３の出力側にはスピーカ１１４が接続され、スピーカ１１４は音源１１２からの着信音の電気信号を音に変換して出力する。
親機１１０には無線送受信回路１１５が設けられ、無線送受信回路１１５は送信信号の変調を行い、子機１２０へ無線信号を送信し、子機１２０からの無線信号を受信し、受信信号の復調を行う。
【００１９】
無線送信回路１１５にはアンテナ１１７が接続され、アンテナ１１７は無線送信回路１１５からの電気信号を電磁波に変換することで空中に無線信号を送信し、空中からの無線信号を受信する。
親機１１０には制御回路１１９が設けられ、制御回路１１９はＣＰＵ（中央演算装置）で形成され、着信検出回路１１１、スイッチ１１３、無線送受信回路１１５に接続され、これらの制御を行う。
【００２０】
次に、子機１２０には音源１２２が設けられ、音源１２２は発振子などを用いて着信音信号を生成する。
音源１２２の出力側にはスイッチ１２３が接続され、スイッチ１２３は音源１２２から出力される着信音信号の出力を、後述する制御回路１２９の制御により、ＯＮ又はＯＦＦにする。
【００２１】
さらに、スイッチ１２３の出力側には減衰器１２４が接続され、減衰器１２４は、音源１２２からの着信音信号を、後述する制御回路１２９により、減衰させる。
減衰器１２４にはスピーカ１２５が設けられ、スピーカ１２５は音源１２２からの着信音の電気信号を音に変換して出力する。
【００２２】
子機１２０には無線送受信回路１２６が設けられ、無線送受信回路１２６は親機１１０から無線信号を受信し受信信号を復調し、送信信号の変調を行い、親機１１０へ無線信号を送信する。
無線送受信回路１２６にはアンテナ１２７が接続され、アンテナ１２７は無線送信回路１２６からの電気信号を電磁波に変換することで空中に無線信号を送信し、空中からの無線信号を受信する。
【００２３】
アンテナ１２７には受信感度検出回路１２８が接続され、受信感度検出回路１２８は親機１１０から送信された搬送波の振幅から受信感度レベルを検出する。子機１２０には制御回路１２９が設けられ、制御回路１２９はＣＰＵ（中央演算装置）で形成され、減衰器１２４、無線送受信回路１２６、受信感度検出回路１２８に接続され、受信感度検出回路１２８から受信感度レベルを入力し、減衰器１２４、無線送受信回路１２６の制御を行う。
【００２４】
制御回路１２９には着信音鳴動制御部１２９Ａが設けられ、着信音鳴動制御部１２９Ａは受信感度検出回路１２８から入力した受信感度レベルに基づき減衰器１２４の減衰量を制御する。
図２は図１におけるコードレス電話機の一連の動作例を説明するフローチャートである。
【００２５】
ステップＳ２０１において、親機１１０側の着信検出回路１１１では外線からある電圧以上の交流信号が入った時に着信信号であると認識し、着信信号の有無を制御回路１１９に出力する。制御回路１１９では着信を検出したかどうか着信検出回路１１１の検出結果をある一定時間毎にスキャンし、着信を行う。
ステップＳ２０２において、制御回路１１９が着信検出した場合、制御回路１１９ではスイッチ１１３をＯＮにさせ、着信音信号を音源１１２からスピーカ１１４に出力させ親機１１０の着信音を鳴動させる。
【００２６】
ステップＳ２０３において、親機１１０の鳴動と共に、子機１２０の着信音を鳴動させるため、無線送受信回路１１５に「着信音ＯＮ」コマンドを送信する。無線送受信回路１１５では「着信音ＯＮ」コマンドを、アンテナ１１７を経由して、空中に送信する。
ステップＳ２０４において、子機１２０側のアンテナ１２７を経由して無線送受信回路１２６では「着信音ＯＮ」コマンドを受信し、受信した「着信音ＯＮ」コマンドを制御回路１２９に出力する。一方、受信感度検出回路１２８では親機１１０から受信した搬送波の振幅から受信感度レベルを検出して制御回路１２９に通知する。
【００２７】
ステップＳ２０５において、制御回路１２９の着信音鳴動制御部１２９Ａでは、受信感度検出回路１２８から通知された受信感度レベルがある所定値より大きいか否かを判定する。上記受信感度レベルが上記所定値未満の場合には減衰器１２４の制御を行わずにステップＳ２０８に進む。
ステップＳ２０６において、上記受信感度レベルが上記所定値よりも大きい場合には、子機１２０が親機１１０の近くに置かれていると判定して、音源１２２からの着信音を減衰させるように減衰器１２４の制御を行う。
【００２８】
ステップＳ２０７において、減衰器１２４を介して子機１２０の着信音をスピーカ１２５に鳴動させ、処理を終了する。
ステップＳ２０８において、上記受信感度レベルが上記所定値未満の場合には着信音の減衰がされているか否かの判定を行う。減衰されていない場合にはステップＳ２０７に進む。
【００２９】
ステップＳ２０９において、着信音の減衰が行われている場合には着信音の減衰を解除しステップＳ２０７に進む。
したがって、本発明によれば、子機１２０が親機１１０の直ぐ横に置かれた場合、外線着信時に子機１２０の着信音の音量が小さくなり、従来のように、親機１１０と子機１２０がそれぞれ大きな音量で鳴動することがなくなったので、不愉快を与えることがなくなった。
【００３０】
さらに、子機１２０の着信音の音量を小さくして通話が終了すると、子機１２０の着信音の音量が元に戻り、その後親機１１０から離れて置かれた場所での外線着信時には着信音の音量が小さいままになっていることがないので、着信に気がつかなくなることはなくなる。
【００３１】
図３は図１における第１の変形例の概略構成を示すブロック図である。本図に示すように、図１と比較して、子機１２０の制御回路１２９にはＬＥＤ（発光ダイオード）１３１が接続される。
図４は図３における第１の変形例に係る一連の動作例を説明するフローチャートである。
【００３２】
本図に示すように、図２と比較して、ステップＳ２１６において、減衰器１２４では、制御回路１２９の制御により子機１２０の音源１２２からの着信音が鳴動しなくなるまで減衰させる。
ステップＳ２１７において、ＬＥＤ１３１では、制御回路１２９の制御により子機１２０での着信の点滅が行われる。その他のステップは図２と同様である。
【００３３】
これにより、親機１１０と子機１２０が近くにある場合には親機１１０の着信音の鳴動と、子機１２０のＬＥＤ１３１の点滅で子機１２０への着信を認識することを可能にすると同時に子機１２０から着信音の鳴動がなくなる。
図５は図１における第２の変形例であり、コードレス電話機であって親機側で着信音量の鳴動調整を行うものの概略構成を示すブロック図である。本図に示すように、図１と比較して、親機１１０にはスイッチ１１３とスピーカ１１４との間に減衰器１３２が設けられ、減衰器１３２は、音源１１２からの着信音信号を、後述する制御回路１１９の制御により、減衰させる。
【００３４】
さらに、アンテナ１１７と制御回路１１９との間に受信感度検出回路１３３が設けられ、受信感度検出回路１３３は子機１２０から送信される搬送波の振幅から受信感度レベルを検出して制御回路１１９に通知する。
制御回路１１９には着信音鳴動制御部１１９Ａ、受信レベル記憶部１１９Ｂが設けられ、受信レベル記憶部１１９Ｂは制御回路１１９に通知された最新の受信感度レベルを記憶し、着信音鳴動制御部１１９Ａは受信感度検出回路１３３から入力した受信感度レベルに基づき減衰器１３２の減衰量を制御する。
【００３５】
子機１２０では、図１と比較して、減衰器１２４が削除され、制御回路１２９から着信音鳴動制御部１２９Ａが削除される。
図６は図５におけるコードレス電話機の一連の動作例を説明するフローチャートである。
本図に示すように、ステップＳ２２１において、親機１１０では予め子機１２０の制御回路１２９の制御により無線送受信回路１２６からアンテナ１２７を経由して空中に送出された無線信号が親機１１０のアンテナ１１７を経由して受信し受信信号が受信感度検出回路１３３に入力される。受信感度検出回路１３３では、子機１２０から送信される搬送波の振幅から受信感度レベルを検出し、制御回路１１９に通知する。
【００３６】
ステップＳ２２２において、制御回路１１９では受信感度検出回路１３３から通知され、無線通信で得た最新の受信感度レベルを検出して受信レベル記憶部１１９Ｂに記憶する。
ステップＳ２２３において、着信音鳴動制御部１１９Ａでは、受信レベル記憶部１１９Ｂに記憶されている最新の受信感度レベルがある所定値よりも大きいか否かを判定する。上記受信感度レベルが上記所定値未満である場合には減衰器１３２の制御を行わずにステップＳ２３０に進む。
【００３７】
ステップＳ２２４において、上記受信感度レベルが上記所定値よりも大きい場合には、子機１２０が親機１１０の近くに置かれていると判定して、音源１１２からの着信音を減衰させるように減衰器１３２を制御する。
ステップＳ２２５において、一方、親機１１０側では着信検出回路１１１が外線からある電圧以上の交流信号が入った時に着信信号であると認識し、着信信号の検出の有無を制御回路１１９に出力する。制御回路１１９では着信があるか否かについて、着信検出回路１１１の検出結果をある一定時間毎にスキャンする。
【００３８】
ステップＳ２２６において、減衰器１３２を介して親機１１０の着信音をスピーカ１１４に鳴動させる。
ステップＳ２２７において、親機１１０の鳴動と共に、子機１２０の着信音を鳴動させるため、無線送受信回路１１５に「着信音ＯＮ」コマンドを送信する。無線送受信回路１１５では「着信音ＯＮ」コマンドを、アンテナ１１７を経由して、空中に送信する。
【００３９】
ステップＳ２２８において、子機１２０側のアンテナ１２７を経由して無線送受信回路１２６では「着信音ＯＮ」コマンドを受信し、受信した「着信音ＯＮ」コマンドを制御回路１２９に出力する。
ステップＳ２２９において、スピーカ１２３を介して子機１２０に着信音を鳴動させる。
【００４０】
ステップＳ２３０において、上記受信感度レベルが上記所定値未満の場合には着信音の減衰がされているか否かの判定を行う。減衰されていない場合にはステップＳ２２５に進む。
ステップＳ２３１において、着信音の減衰が行われている場合には着信音の減衰を解除しステップＳ２２５に進む。
【００４１】
したがって、本発明によれば、親機１１０では予め子機１２０からの受信レベルにより、親機１１０と子機１２０とが近いか否かを判定し、子機１２０が親機１１０の直ぐ横に置かれた場合、外線着信時に親機１１０の着信音の音量を小さくし、従来のように、親機１１０と子機１２０がそれぞれ大きな音量で鳴動することがなくなったので、不愉快を与えることがなくなった。
【００４２】
また、子機１２０が親機１１０の近くにあった場所から、その後離れた場所に移ると親機１１０では一旦小さくした着信音を大きくし、外線着信時には着信音の音量が小さいままになっていることがないので、着信に気がつかなくなることはなくなる。
図７は図１における第３の変形例の概略構成を示すブロック図である。本図に示すように、図１と比較して、親機１１０の制御回路１１９にはＬＥＤ１３４が接続される。
【００４３】
図８は図７における第３の変形例に係る一連の動作例を説明するフローチャートである。
本図に示すように、図６と比較して、ステップＳ２３４において、減衰器１３２では、制御回路１１９の制御により親機１１０の音源１１２からの着信音が鳴動しなくなるまで減衰させる。
【００４４】
ステップＳ２３５において、ＬＥＤ１３４では、制御回路１１９の制御により親機１１０での着信の点滅が行われる。その他のステップは図６と同様である。これにより、親機１１０と子機１２０が近くにある場合には親機１１０のＬＥＤ１３４の点滅と、子機１２０の着信音の鳴動により親機１１０への着信を認識することを可能にすると同時に親機１１０から着信音の鳴動がなくなる。
【００４５】
図９は図１における第４の変形例であり、コードレス電話機であって子機側及び親機側で着信音量の鳴動調整を行うものの概略構成を示すブロック図である。本図に示すように、図１及び図５と比較して、これらに示される構成が組み合わされ、コードレス電話機１００の子機１２０側及び親機１１０側の双方で着信音量の鳴動調整が行われる。
【００４６】
図１０は図９における第４の変形例に係る一連の動作例を説明するフローチャートである。
本図に示すように、ステップＳ２４１において、親機１１０では予め子機１２０の制御回路１２９の制御により無線送受信回路１２６からアンテナ１２７を経由して空中に送出された無線信号が親機１１０のアンテナ１１７を経由して受信し受信信号が受信感度検出回路１３３に入力される。受信感度検出回路１３３では、子機１２０から送信される搬送波の振幅から受信感度レベルを検出し、制御回路１１９に通知する。
【００４７】
ステップＳ２４２において、制御回路１１９では受信感度検出回路１３３から通知され、無線通信で得た最新の受信感度レベルを検出して受信レベル記憶部１１９Ｂに記憶する。
ステップＳ２４３において、着信音鳴動制御部１１９Ａでは、受信レベル記憶部１１９Ｂに記憶されている最新の受信感度レベルがある所定値よりも大きいか否かを判定する。上記受信感度レベルが上記所定値未満である場合には減衰器１３２の制御を行わずにステップＳ２５２に進む。
【００４８】
ステップＳ２４４において、上記受信感度レベルが上記所定値よりも大きい場合には、子機１２０が親機１１０の近くに置かれていると判定して、音源１１２からの着信音を減衰させるように減衰器１３２を制御する。
ステップＳ２４５において、一方、親機１１０側では着信検出回路１１１が外線からある電圧以上の交流信号が入った時に着信信号であると認識し、着信信号の検出の有無を制御回路１１９に出力する。制御回路１１９では着信があるか否かについて、着信検出回路１１１の検出結果をある一定時間毎にスキャンする。
【００４９】
ステップＳ２４６において、減衰器１３２を介して親機１１０の着信音をスピーカ１１４に鳴動させる。
ステップＳ２４７において、親機１１０の鳴動と共に、子機１２０の着信音を鳴動させるため、無線送受信回路１１５に「着信音ＯＮ」コマンドを送信する。無線送受信回路１１５では「着信音ＯＮ」コマンドを、アンテナ１１７を経由して、空中に送信する。
【００５０】
ステップＳ２４８において、子機１２０側のアンテナ１２７を経由して無線送受信回路１２６では「着信音ＯＮ」コマンドを受信し、受信した「着信音ＯＮ」コマンドを制御回路１２９に出力する。一方、受信感度検出回路１２８では親機１１０から受信した搬送波の振幅から受信感度レベルを検出して制御回路１２９に通知する。
【００５１】
ステップＳ２４９において、制御回路１２９の着信音鳴動制御部１２９Ａでは、受信感度検出回路１２８から通知された受信感度レベルがある所定値より大きいか否かを判定する。上記受信感度レベルが上記所定値未満の場合には減衰器１２４の制御を行わずにステップＳ２５４に進む。
ステップＳ２５０において、上記受信感度レベルが上記所定値よりも大きい場合には、子機１２０が親機１１０の近くに置かれていると判定して、音源１２２からの着信音を減衰させるように減衰器１２４の制御を行う。
【００５２】
ステップＳ２５１において、減衰器１２４を介して子機１２０の着信音をスピーカ１２５に鳴動させ、処理を終了する。
ステップＳ２５２において、ステップＳ２４３での上記受信感度レベルが上記所定値未満の場合には着信音の減衰がされているか否かの判定を行う。減衰されていない場合にはステップＳ２４５に進む。
【００５３】
ステップＳ２５３において、着信音の減衰が行われている場合には着信音の減衰を解除しステップＳ２４５に進む。
ステップＳ２５４において、ステップＳ２４９での上記受信感度レベルが上記所定値未満の場合には着信音の減衰がされているか否かの判定を行う。減衰されていない場合にはステップＳ２５１に進む。
【００５４】
ステップＳ２５５において、着信音の減衰が行われている場合には着信音の減衰を解除しステップＳ２５１に進む。
したがって、本発明によれば、親機１１０と子機１２０の双方で、親機１１０と子機１２０とが近いか否かを判定し、子機１２０が親機１１０の直ぐ横に置かれた場合、外線着信時に親機１１０、子機１２０の双方の着信音の音量を小さくし、従来のように、親機１１０と子機１２０がそれぞれ大きな音量で鳴動することがなくなったので、不愉快を与えることがなくなった。
【００５５】
また、子機１２０が親機１１０の近くにあった場所から、その後離れた場所に移ると親機１１０と子機１２０の双方では一旦小さくした着信音を大きくし、外線着信時には着信音の音量が小さいままになっていることがないので、着信に気がつかなくなることはなくなる。
【００５６】
【発明の効果】
以上説明したように、本発明によれば、外線から着信信号を受信した時に着信音を鳴動する親機から着信音信号を受信し着信音を鳴動し、子機着信音鳴動部で鳴動した着信音を減衰させ、親機から送信された着信音信号を子機で受信し受信感度レベルを検出し、受信感度検出回路で検出された受信感度レベルが所定値以上である場合には子機減衰部に着信音の鳴動を減衰させ、受信感度レベルが所定値未満である場合には一旦減衰させた着信音の鳴動を解除するようにしたので、着信時に親機と子機が直ぐ近くにあっても同時に大きな鳴動とならず、子機が移動し親機から離れても子機への音量の設定が小さくならないようにすることが可能になる。
【００５７】
さらに、外線から着信信号を受信した時に子機へ着信音信号が送信されると同時に親機の着信音を鳴動し、親機着信音鳴動部で鳴動された着信音を減衰させ、子機から送信された信号を親機で受信し受信感度レベルを検出し、親機受信感度検出部で検出された受信感度レベルを記憶し、親機受信レベル記憶部に記憶されている最新の受信感度レベルが所定値以上である場合には親機減衰部に着信音の鳴動を減衰させ、受信感度レベルが所定値未満である場合には一旦減衰させた着信音の鳴動を解除するようにしたので、着信時に親機と子機が直ぐ近くにあっても同時に大きな鳴動とならず、子機が移動し親機から離れても子機への音量の設定が小さくならないようにすることが可能になる。
【図面の簡単な説明】
【図１】本発明に係るコードレス電話機であって子機側で着信音量の鳴動調整を行うものの概略構成を示すブロック図である。
【図２】図１におけるコードレス電話機の一連の動作例を説明するフローチャートである。
【図３】図１における第１の変形例の概略構成を示すブロック図である。
【図４】図３における第１の変形例に係る一連の動作例を説明するフローチャートである。
【図５】図１における第２の変形例であり、コードレス電話機であって親機側で着信音量の鳴動調整を行うものの概略構成を示すブロック図である。
【図６】図２におけるコードレス電話機の一連の動作例を説明するフローチャートである。
【図７】図１における第３の変形例の概略構成を示すブロック図である。
【図８】図７における第３の変形例に係る一連の動作例を説明するフローチャートである。
【図９】図１における第４の変形例であり、コードレス電話機であって子機側及び親機側で着信音量の鳴動調整を行うものの概略構成を示すブロック図である。
【図１０】図９における第４の変形例に係る一連の動作例を説明するフローチャートである。
【符号の説明】
１００…コードレス電話機
１１０…親機
１１１…着信検出回路
１１２、１２２…音源
１１３、１２３…スイッチ
１１４、１２５…スピーカ
１１５、１２６…無線送受信回路
１１７，１２７…アンテナ
１１９、１２９…制御回路
１１９Ａ、１２９Ａ…着信音鳴動制御部
１１９Ｂ…受信レベル記憶部
１２０…子機
１２４、１３２…減衰器
１２８、１３３…受信感度検出回路
１３１、１３４…ＬＥＤ
【図１】
2004254144.tif 000003
【図２】
2004254144.tif 000004
【図３】
2004254144.tif 000005
【図４】
2004254144.tif 000006
【図５】
2004254144.tif 000007
【図６】
2004254144.tif 000008
【図７】
2004254144.tif 000009
【図８】
2004254144.tif 000010
【図９】
2004254144.tif 000011
【図１０】
2004254144.tif 000012